【手続補正書】
【提出日】平成20年5月27日(2008.5.27)
【手続補正１】
【補正対象書類名】明細書
【補正対象項目名】特許請求の範囲
【補正方法】変更
【補正の内容】
【特許請求の範囲】
【請求項１】  出力機器の出力に関する出力サービスを提供する出力サービス提供システムであって、
実空間と対応させた仮想空間に配置された第１仮想オブジェクトの形状及び配置位置に関する第１オブジェクト情報を前記出力機器と対応付けて記憶する第１記憶手段と、
前記仮想空間に配置された第２仮想オブジェクトの形状及び配置位置に関する第２オブジェクト情報を移動可能な移動体と対応付けて記憶する第２記憶手段と、
前記移動体の位置の特定に用いる位置情報を取得する位置情報取得手段とを備え、
前記位置情報取得手段で取得した位置情報に基づいて前記第２記憶手段の第２オブジェクト情報を更新し、前記第１記憶手段の第１オブジェクト情報及び前記第２記憶手段の第２オブジェクト情報に基づいて、前記第１仮想オブジェクトの形状及び配置位置により特定される領域と、前記第２仮想オブジェクトの形状及び配置位置により特定される領域とが重複していると判定したときは、当該第１仮想オブジェクトに対応する出力機器の出力に関する出力サービスを提供するようになっていることを特徴とする出力サービス提供システム。
【請求項２】  請求項１において、
前記仮想オブジェクトを管理する仮想オブジェクト管理端末と、前記移動体とを通信可能に接続し、
前記移動体は、前記位置情報取得手段を有し、前記位置情報取得手段で取得した位置情報を前記仮想オブジェクト管理端末に送信するようになっており、
前記仮想オブジェクト管理端末は、前記第１記憶手段及び前記第２記憶手段を有し、前記位置情報を受信したときは、前記受信した位置情報に基づいて前記第２記憶手段の第２オブジェクト情報を更新し、前記第１記憶手段の第１オブジェクト情報及び前記第２記憶手段の第２オブジェクト情報に基づいて、前記第１仮想オブジェクトの形状及び配置位置により特定される領域と、前記第２仮想オブジェクトの形状及び配置位置により特定される領域とが重複しているか否かを判定するようになっていることを特徴とする出力サービス提供システム。
【請求項３】  請求項１において、
前記仮想オブジェクトを管理する仮想オブジェクト管理端末と、前記移動体とを通信可能に接続し、
前記仮想オブジェクト管理端末は、前記第１記憶手段を有し、前記第１記憶手段の第１オブジェクト情報を前記移動体に送信するようになっており、
前記移動体は、前記第２記憶手段及び前記位置情報取得手段を有し、前記位置情報取得手段で取得した位置情報に基づいて前記第２記憶手段の第２オブジェクト情報を更新し、前記第１オブジェクト情報を受信したときは、受信した第１オブジェクト情報及び前記第２記憶手段の第２オブジェクト情報に基づいて、前記第１仮想オブジェクトの形状及び配置位置により特定される領域と、前記第２仮想オブジェクトの形状及び配置位置により特定される領域とが重複しているか否かを判定するようになっていることを特徴とする出力サービス提供システム。
【請求項４】  請求項２及び３のいずれかにおいて、
前記出力機器へ送信する出力データを前記移動体と対応付けて記憶する出力データ記憶手段を備え、
前記仮想オブジェクト管理端末は、前記判定の結果が、前記第１仮想オブジェクトの形状及び配置位置により特定される領域と、前記第２仮想オブジェクトの形状及び配置位置により特定される領域とが重複しているとの結果であるときは、前記出力データ記憶手段の出力データのうち前記第２仮想オブジェクトに対応する移動体に対応する出力データを、前記第１仮想オブジェクトに対応する出力機器に送信するようになっていることを特徴とする出力サービス提供システム。
【請求項５】  請求項２及び３のいずれかにおいて、
前記出力機器へ送信する出力データを前記移動体と対応付けて記憶する出力データ記憶手段を備え、
前記移動体は、前記判定の結果が、前記第１仮想オブジェクトの形状及び配置位置により特定される領域と、前記第２仮想オブジェクトの形状及び配置位置により特定される領域とが重複しているとの結果であるときは、前記出力データ記憶手段の出力データのうち前記第２仮想オブジェクトに対応する移動体に対応する出力データを、前記第１仮想オブジェクトに対応する出力機器に送信するようになっていることを特徴とする出力サービス提供システム。
【請求項６】  仮想オブジェクトを管理する仮想オブジェクト管理端末と、出力機器と、携帯端末とを通信可能に接続し、前記出力機器の出力に関する出力サービスを提供する出力サービス提供システムであって、
携帯端末の位置の特定に用いる位置情報を取得する位置情報取得手段を備え、
前記仮想オブジェクト管理端末は、実空間と対応させた仮想空間に配置された第１仮想オブジェクトの形状及び配置位置に関する第１オブジェクト情報を前記出力機器と対応付けて記憶するための第１記憶手段と、前記仮想空間に配置された第２仮想オブジェクトの形状及び配置位置に関する第２オブジェクト情報を前記携帯端末と対応付けて記憶する第２記憶手段とを有し、前記位置情報取得手段で取得した位置情報に基づいて前記第２記憶手段の第２オブジェクト情報を更新し、前記第１記憶手段の第１オブジェクト情報及び前記第２記憶手段の第２オブジェクト情報に基づいて、前記第１仮想オブジェクトの形状及び配置位置により特定される領域と、前記第２仮想オブジェクトの形状及び配置位置により特定される領域とが重複していると判定したときは、前記第１仮想オブジェクトに対応する出力機器の出力に関する出力サービスを提供すべき提供要求を送信するようになっており、
前記携帯端末は、前記出力機器へ送信する出力データを記憶する出力データ記憶手段を有し、前記提供要求を受信したときは、前記受信した提供要求に係る出力機器に前記出力データ記憶手段の出力データを送信するようになっており、
前記出力機器は、前記出力データを受信したときは、前記受信した出力データに基づいて出力を行うようになっていることを特徴とする出力サービス提供システム。
【請求項７】  請求項６において、
前記携帯端末との通信サービスを提供する通信サービス提供端末を通信可能に接続し、
前記通信サービス提供端末は、前記携帯端末との通信を確立する通信確立手段を構成可能な通信確立手段構成情報を記憶する構成情報記憶手段を有し、
前記仮想オブジェクト管理端末は、前記第１仮想オブジェクトの形状及び配置位置により特定される領域と、前記第２仮想オブジェクトの形状及び配置位置により特定される領域とが重複していると判定したときは、前記第１仮想オブジェクトに対応する出力機器に前記提供要求を送信するようになっており、
前記出力機器は、前記提供要求を受信したときは、前記通信確立手段構成情報を前記通信サービス提供端末から取得し、前記取得した通信確立手段構成情報に基づいて前記通信確立手段を構成し、前記構成した通信確立手段により前記受信した提供要求に係る携帯端末に前記提供要求を送信するようになっており、
前記携帯端末は、前記提供要求を受信したときは、前記受信した提供要求に係る出力機器に前記出力データ記憶手段の出力データを送信するようになっていることを特徴とする出力サービス提供システム。
【請求項８】  仮想オブジェクトを管理する仮想オブジェクト管理端末と、出力機器と、携帯可能な物品である携帯物を管理する携帯物管理端末とを通信可能に接続し、前記出力機器の出力に関する出力サービスを提供する出力サービス提供システムであって、
前記携帯物の位置の特定に用いる位置情報を取得する位置情報取得手段を備え、
前記仮想オブジェクト管理端末は、実空間と対応させた仮想空間に配置された第１仮想オブジェクトの形状及び配置位置に関する第１オブジェクト情報を前記出力機器と対応付けて記憶する第１記憶手段と、前記仮想空間に配置された第２仮想オブジェクトの形状及び配置位置に関する第２オブジェクト情報を前記携帯物と対応付けて記憶する第２記憶手段とを有し、前記位置情報取得手段で取得した位置情報に基づいて前記第２記憶手段の第２オブジェクト情報を更新し、前記第１記憶手段の第１オブジェクト情報及び前記第２記憶手段の第２オブジェクト情報に基づいて、前記第１仮想オブジェクトの形状及び配置位置により特定される領域と、前記第２仮想オブジェクトの形状及び配置位置により特定される領域とが重複していると判定したときは、前記第１仮想オブジェクトに対応する出力機器の出力に関する出力サービスを提供すべき提供要求を送信するようになっており、
前記携帯物管理端末は、前記出力機器へ送信する出力データを前記携帯物と対応付けて記憶する出力データ記憶手段を有し、前記提供要求を受信したときは、前記出力データ記憶手段の出力データのうち前記受信した提供要求に係る携帯物に対応する出力データを、前記受信した提供要求に係る出力機器に送信するようになっており、
前記出力機器は、前記出力データを受信したときは、前記受信した出力データに基づいて出力を行うようになっていることを特徴とする出力サービス提供システム。
【請求項９】  請求項８において、
前記携帯物管理端末との通信サービスを提供する通信サービス提供端末を通信可能に接続し、
前記通信サービス提供端末は、前記携帯物管理端末との通信を確立する通信確立手段を構成可能な通信確立手段構成情報を記憶する構成情報記憶手段を有し、
前記仮想オブジェクト管理端末は、前記第１仮想オブジェクトの形状及び配置位置により特定される領域と、前記第２仮想オブジェクトの形状及び配置位置により特定される領域とが重複していると判定したときは、前記第１仮想オブジェクトに対応する出力機器に前記提供要求を送信するようになっており、
前記出力機器は、前記提供要求を受信したときは、前記通信確立手段構成情報を前記通信サービス提供端末から取得し、前記取得した通信確立手段構成情報に基づいて前記通信確立手段を構成し、前記構成した通信確立手段により前記受信した提供要求に係る携帯物管理端末に前記提供要求を送信するようになっており、
前記携帯物管理端末は、前記提供要求を受信したときは、前記出力データ記憶手段の出力データのうち前記受信した提供要求に係る携帯物に対応する出力データを、前記受信した提供要求に係る出力機器に送信するようになっていることを特徴とする出力サービス提供システム。
【請求項１０】  請求項２乃至９のいずれかにおいて、
前記仮想オブジェクト管理端末は、前記第１オブジェクト情報の作成、削除又は更新に関する入力を行う入力手段と、前記入力手段が行なった入力の内容に基づいて前記第１オブジェクト情報の作成、削除又は更新を行うオブジェクト情報処理手段とを有することを特徴とする出力サービス提供システム。
【請求項１１】  請求項１乃至１０のいずれかにおいて、
前記出力機器は、投影型表示装置であることを特徴とする出力サービス提供システム。
【請求項１２】  出力機器の出力に関する出力サービスを提供する出力サービス提供システムであって、
実空間と対応させた仮想空間に配置された第１仮想オブジェクトに関する第１オブジェクト情報を前記出力機器と対応付けて記憶する第１記憶手段と、前記仮想空間に配置された第２仮想オブジェクトに関する第２オブジェクト情報を移動可能な移動体と対応付けて記憶する第２記憶手段とを備え、
前記第１記憶手段の第１オブジェクト情報及び前記第２記憶手段の第２オブジェクト情報に基づいて、前記第１仮想オブジェクトと前記第２仮想オブジェクトとの位置関係が所定条件を満たしていると判定したときは、前記第１仮想オブジェクトに対応する出力機器の出力に関する出力サービスを提供するようになっており、
前記第１オブジェクト情報の作成、削除又は更新に関する入力を行う入力手段と、前記入力手段が行なった入力の内容に基づいて前記第１オブジェクト情報の作成、削除又は更新を行うオブジェクト情報処理手段とを備えることを特徴とする出力サービス提供システム。
【請求項１３】  仮想オブジェクトを管理する仮想オブジェクト管理端末と、出力機器と、携帯端末とを通信可能に接続し、前記出力機器の出力に関する出力サービスを提供するシステムであって、
前記携帯端末の位置の特定に用いる位置情報を取得する位置情報取得手段を備え、
前記仮想オブジェクト管理端末は、実空間と対応させた仮想空間上に配置された仮想オブジェクトの形状及び配置位置に関するオブジェクト情報を前記出力機器と対応付けて記憶するオブジェクト情報記憶手段を有し、前記位置情報取得手段で取得した位置情報及び前記オブジェクト情報記憶手段に記憶されたオブジェクト情報に基づいて、前記仮想オブジェクトの形状及び配置位置により特定される前記仮想オブジェクトの内部領域内に前記携帯端末が属していると判定したときは、前記仮想オブジェクトに対応する出力機器の出力に関する出力サービスを提供すべき提供要求を送信するようになっており、
前記携帯端末は、前記出力機器へ送信する出力データを記憶する出力データ記憶手段を有し、前記提供要求を受信したときは、前記受信した提供要求に係る出力機器に前記出力データ記憶手段の出力データを送信するようになっており、
前記出力機器は、前記出力データを受信したときは、前記受信した出力データに基づいて出力を行うようになっていることを特徴とする出力サービス提供システム。
【請求項１４】  仮想オブジェクトを管理する仮想オブジェクト管理端末と、出力機器と、携帯可能な物品である携帯物を管理する携帯物管理端末とを通信可能に接続し、前記出力機器の出力に関する出力サービスを提供する出力サービス提供システムであって、
前記携帯物の位置の特定に用いる位置情報を取得する位置情報取得手段を備え、
前記仮想オブジェクト管理端末は、実空間と対応させた仮想空間に配置された仮想オブジェクトの形状及び配置位置に関するオブジェクト情報を前記出力機器と対応付けて記憶するオブジェクト情報記憶手段を有し、前記位置情報取得手段で取得した位置情報及び前記オブジェクト情報記憶手段のオブジェクト情報に基づいて、前記仮想オブジェクトの形状及び配置位置により特定される前記仮想オブジェクトの内部領域内に前記携帯物が属していると判定したときは、前記仮想オブジェクトに対応する出力機器の出力に関する出力サービスを提供すべき提供要求を送信するようになっており、
前記携帯物管理端末は、前記出力機器へ送信する出力データを前記携帯物と対応付けて記憶する出力データ記憶手段を有し、前記提供要求を受信したときは、前記出力データ記憶手段の出力データのうち前記受信した提供要求に係る携帯物に対応する出力データを、前記受信した提供要求に係る出力機器に送信するようになっていることを特徴とする出力サービス提供システム。
【手続補正２】
【補正対象書類名】明細書
【補正対象項目名】００１５
【補正方法】変更
【補正の内容】
【００１５】
【課題を解決するための手段】
〔形態１〕  上記目的を達成するために、形態１の出力サービス提供システムは、出力機器に第１仮想オブジェクトを対応付けかつ移動可能な移動体に第２仮想オブジェクトを対応付けるとともに、実空間と対応させた仮想空間上に前記第１仮想オブジェクトを配置しかつ前記仮想空間における移動体の位置またはその付近に前記第２仮想オブジェクトを配置し、前記第１仮想オブジェクトと前記第２仮想オブジェクトとの位置関係に基づいて、前記第１仮想オブジェクトに対応する出力機器の出力に関する出力サービスを提供するシステムであって、前記第１仮想オブジェクトの形状および配置位置に関する第１オブジェクト情報を前記出力機器と対応付けて記憶するための第１記憶手段と、前記第２仮想オブジェクトの形状および配置位置に関する第２オブジェクト情報を前記移動体と対応付けて記憶するための第２記憶手段と、前記移動体の位置を特定するための位置情報を取得する位置情報取得手段とを備え、前記位置情報取得手段で取得した位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する出力機器の出力に関する出力サービスを提供するようになっている。
【手続補正３】
【補正対象書類名】明細書
【補正対象項目名】００１７
【補正方法】変更
【補正の内容】
【００１７】
ここで、仮想オブジェクトは、実空間と対応させた仮想空間上で論理的な形状および配置位置を有しており、その形状としては、例えば、配置位置を中心とした半径１〔ｍ〕程度の球体であってもよいし、配置位置を中心とした１辺が１〔ｍ〕程度の立方体であってもよいし、その他自然物や生物を模写した形状等あらゆる形状を含む。また、立体的な形状に限らず、平面的な形状であってもよい。これにより、出力サービスが提供される領域が比較的明確化されることから、例えば数ｍ単位といった細かな単位で異なる出力サービスを提供することが可能となり、また、出力サービスが提供される領域および移動体に対応付けられた領域が点ではなく所定の範囲をもっていることから、ユーザが出力サービスを受けやすくなる。以下、形態６、８、１２ないし１４の出力サービス提供システム、形態１５の仮想オブジェクト管理端末、形態１６の移動体、形態１７の仮想オブジェクト管理端末用プログラム、形態１８の移動体用プログラム、並びに形態１９および２０の出力サービス提供方法において同じである。
【手続補正４】
【補正対象書類名】明細書
【補正対象項目名】００１８
【補正方法】変更
【補正の内容】
【００１８】
また、移動体は、実空間における移動体であってもよいし、仮想空間における移動体であってもよい。前者の場合は、例えば、携帯端末や車両等がそれに該当し、それらに適用すれば、ユーザの位置に応じた出力サービスを提供することができるし、後者の場合は、例えば、コンピュータシミュレーション上の移動体やゲーム上の移動体がこれに該当し、コンピュータシミュレーションに適用すれば、仮想空間における移動体の位置に応じた出力サービスを提供することができる。以下、形態１２の出力サービス提供システム、形態１５の仮想オブジェクト管理端末、形態１６の移動体、形態１８の移動体用プログラム、並びに形態１９および２０の出力サービス提供方法において同じである。
【手続補正５】
【補正対象書類名】明細書
【補正対象項目名】００１９
【補正方法】変更
【補正の内容】
【００１９】
また、出力サービスは、出力機器の出力に関するサービスであり、例えば、出力機器が印刷装置であれば印刷を行うサービスが、出力機器が表示装置であれば表示を行うサービスが、出力機器が音声出力装置であれば音声を出力するサービスが含まれる。以下、形態６、８、１２ないし１４の出力サービス提供システム、並びに形態１９および２０の出力サービス提供方法において同じである。
【手続補正６】
【補正対象書類名】明細書
【補正対象項目名】００２０
【補正方法】変更
【補正の内容】
【００２０】
また、出力サービスを提供するとは、出力サービスを直接または間接的に提供することをいい、間接的に提供する場合には、例えば、出力サービスを提供可能な外部端末と通信可能に接続し、本システムがその外部端末に出力サービスの提供を要求し、その外部端末が提供要求を契機として出力サービスを提供することが含まれる。すなわち、出力サービスの提供は、本システムおよび１または複数の外部端末の協働により行うことも可能である。以下、形態６、８、１２ないし１４の出力サービス提供システム、並びに形態１９および２０の出力サービス提供方法において同じである。
【手続補正７】
【補正対象書類名】明細書
【補正対象項目名】００２１
【補正方法】変更
【補正の内容】
【００２１】
また、第１記憶手段は、第１オブジェクト情報をあらゆる手段でかつあらゆる時期に記憶するものであり、第１オブジェクト情報をあらかじめ記憶してあるものであってもよいし、第１オブジェクト情報をあらかじめ記憶することなく、本システムの動作時に外部からの入力等によって第１オブジェクト情報を記憶するようになっていてもよい。このことは、第２記憶手段に第２オブジェクト情報を記憶する場合についても同じである。以下、形態６、８および１２の出力サービス提供システム、並びに形態１５の仮想オブジェクト管理端末において同じである。
【手続補正８】
【補正対象書類名】明細書
【補正対象項目名】００２２
【補正方法】変更
【補正の内容】
【００２２】
また、本システムは、単一の装置として実現するようにしてもよいし、複数の端末を通信可能に接続したネットワークシステムとして実現するようにしてもよい。後者の場合、各構成要素は、それぞれ通信可能に接続されていれば、複数の端末のうちどの端末に属していてもよい。以下、形態１２の出力サービス提供システムにおいて同じである。
【手続補正９】
【補正対象書類名】明細書
【補正対象項目名】００２３
【補正方法】変更
【補正の内容】
【００２３】
また、位置情報取得手段は、例えば、移動体が通信可能に接続する通信端末で移動体の位置を測定することにより位置情報を取得するようになっていてもよいし、ＧＰＳ等を利用して移動体でその位置を測定したり、または移動体からの測定情報に基づいて上記通信端末で算出したりすることにより位置情報を取得するようになっていてもよいし、移動体が接続する基地局で移動体の位置を測定したり、または基地局からの測定情報に基づいて上記通信端末で算出したりすることにより、位置情報を取得するようになっていてもよい。以下、形態１２の出力サービス提供システム、および形態１６の移動体において同じである。
【手続補正１０】
【補正対象書類名】明細書
【補正対象項目名】００２４
【補正方法】変更
【補正の内容】
【００２４】
〔形態２〕  さらに、形態２の出力サービス提供システムは、形態１の出力サービス提供システムにおいて、前記仮想オブジェクトを管理する仮想オブジェクト管理端末と、前記移動体とを通信可能に接続し、前記移動体は、前記位置情報取得手段を有し、前記位置情報取得手段で取得した位置情報を前記仮想オブジェクト管理端末に送信するようになっており、前記仮想オブジェクト管理端末は、前記第１記憶手段および前記第２記憶手段を有し、前記位置情報を受信したときは、受信した位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定するようになっている。
【手続補正１１】
【補正対象書類名】明細書
【補正対象項目名】００２７
【補正方法】変更
【補正の内容】
【００２７】
また、仮想オブジェクト管理端末は、移動体との通信路の一端に接続する通信機器であって少なくともサーバ機能を有するものであればよく、クライアント機能およびサーバ機能の両方を有するものとして構成することもできる。以下、形態３、６、８、１３および１４の出力サービス提供システム、形態１５の仮想オブジェクト管理端末、形態１６の移動体、並びに形態１７の仮想オブジェクト管理端末用プログラムにおいて同じである。
【手続補正１２】
【補正対象書類名】明細書
【補正対象項目名】００２９
【補正方法】変更
【補正の内容】
【００２９】
〔形態３〕  さらに、形態３の出力サービス提供システムは、形態１の出力サービス提供システムにおいて、前記仮想オブジェクトを管理する仮想オブジェクト管理端末と、前記移動体とを通信可能に接続し、前記仮想オブジェクト管理端末は、前記第１記憶手段を有し、前記第１記憶手段の第１オブジェクト情報を前記移動体に送信するようになっており、前記移動体は、前記第２記憶手段および前記位置情報取得手段を有し、前記位置情報取得手段で取得した位置情報に基づいて前記第２記憶手段の第２オブジェクト情報を更新し、前記第１オブジェクト情報を受信したときは、受信した第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定するようになっている。
【手続補正１３】
【補正対象書類名】明細書
【補正対象項目名】００３３
【補正方法】変更
【補正の内容】
【００３３】
〔形態４〕  さらに、形態４の出力サービス提供システムは、形態２および３のいずれかにの出力サービス提供システムにおいて、前記出力機器への出力データを前記移動体と対応付けて記憶するための出力データ記憶手段を備え、前記仮想オブジェクト管理端末は、前記判定の結果が、前記第１仮想オブジェクトの形状および配置位置により特定される領域と、前記第２仮想オブジェクトの形状および配置位置により特定される領域とが重複しているとの判定結果であるときは、前記出力データ記憶手段の出力データのうちその第２仮想オブジェクトに対応する移動体に対応するものを、その第１仮想オブジェクトに対応する出力機器に送信するようになっている。
【手続補正１４】
【補正対象書類名】明細書
【補正対象項目名】００３６
【補正方法】変更
【補正の内容】
【００３６】
また、出力データ記憶手段は、出力データをあらゆる手段でかつあらゆる時期に記憶するものであり、出力データをあらかじめ記憶してあるものであってもよいし、出力データをあらかじめ記憶することなく、本システムの動作時に外部からの入力等によって出力データを記憶するようになっていてもよい。以下、形態５、６、８、１３および１４の出力サービス提供システムにおいて同じである。
【手続補正１５】
【補正対象書類名】明細書
【補正対象項目名】００３７
【補正方法】変更
【補正の内容】
【００３７】
〔形態５〕  さらに、形態５の出力サービス提供システムは、形態２および３のいずれかにの出力サービス提供システムにおいて、前記出力機器への出力データを前記移動体と対応付けて記憶するための出力データ記憶手段を備え、前記移動体は、前記判定の結果が、前記第１仮想オブジェクトの形状および配置位置により特定される領域と、前記第２仮想オブジェクトの形状および配置位置により特定される領域とが重複しているとの判定結果であるときは、前記出力データ記憶手段の出力データのうちその第２仮想オブジェクトに対応する移動体に対応するものを、その第１仮想オブジェクトに対応する出力機器に送信するようになっている。
【手続補正１６】
【補正対象書類名】明細書
【補正対象項目名】００４０
【補正方法】変更
【補正の内容】
【００４０】
〔形態６〕  さらに、形態６の出力サービス提供システムは、仮想オブジェクトを管理する仮想オブジェクト管理端末と、出力機器と、携帯端末とを通信可能に接続し、第１仮想オブジェクトを前記出力機器に対応付けかつ第２仮想オブジェクトを前記携帯端末に対応付けるとともに、実空間と対応させた仮想空間上に前記第１仮想オブジェクトを配置しかつ前記仮想空間における携帯端末の位置またはその付近に前記第２仮想オブジェクトを配置し、前記第１仮想オブジェクトと前記第２仮想オブジェクトとの位置関係に基づいて、前記第１仮想オブジェクトに対応する出力機器の出力に関する出力サービスを提供するシステムであって、前記携帯端末の位置を特定するための位置情報を取得する位置情報取得手段を備え、前記仮想オブジェクト管理端末は、前記第１仮想オブジェクトの形状および配置位置に関する第１オブジェクト情報を前記出力機器と対応付けて記憶するための第１記憶手段と、前記第２仮想オブジェクトの形状および配置位置に関する第２オブジェクト情報を前記携帯端末と対応付けて記憶するための第２記憶手段とを有し、前記位置情報取得手段で取得した位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する出力機器についてその出力に関する出力サービスを提供すべき提供要求を送信するようになっており、前記携帯端末は、前記出力機器への出力データを記憶するための出力データ記憶手段を有し、前記提供要求を受信したときは、受信した提供要求に係る出力機器に前記出力データ記憶手段の出力データを送信するようになっており、前記出力機器は、前記出力データを受信したときは、受信した出力データに基づいて出力を行うようになっている。
【手続補正１７】
【補正対象書類名】明細書
【補正対象項目名】００４２
【補正方法】変更
【補正の内容】
【００４２】
携帯端末では、提供要求を受信すると、受信した提供要求に係る出力機器に出力データ記憶手段の出力データが送信される。
出力機器では、出力データを受信すると、受信した出力データに基づいて出力が行われる。
ここで、提供要求を送信するとは、仮想オブジェクト管理端末が提供要求を直接または間接的に携帯端末に送信することをいい、間接的に送信する場合には、例えば、外部端末と通信可能に接続し、仮想オブジェクト管理端末がその外部端末を介して提供要求を携帯端末に送信することが含まれる。すなわち、提供要求の送信は、仮想オブジェクト管理端末および１または複数の外部端末の協働により行うことも可能である。以下、形態１３の出力サービス提供システムにおいて同じである。
【手続補正１８】
【補正対象書類名】明細書
【補正対象項目名】００４３
【補正方法】変更
【補正の内容】
【００４３】
また、位置情報取得手段は、例えば、携帯端末が通信可能に接続する通信端末で携帯端末の位置を測定することにより位置情報を取得するようになっていてもよいし、ＧＰＳ等を利用して携帯端末でその位置を測定したり、または携帯端末からの測定情報に基づいて上記通信端末で算出したりすることにより位置情報を取得するようになっていてもよいし、携帯端末が接続する基地局で携帯端末の位置を測定したり、または基地局からの測定情報に基づいて上記通信端末で算出したりすることにより、位置情報を取得するようになっていてもよい。また、位置情報取得手段は、仮想オブジェクト管理端末、出力機器、携帯端末、その他仮想オブジェクト管理端末と通信可能に接続する外部端末のいずれに設けてもよい。以下、形態１３の出力サービス提供システムにおいて同じである。
【手続補正１９】
【補正対象書類名】明細書
【補正対象項目名】００４４
【補正方法】変更
【補正の内容】
【００４４】
〔形態７〕  さらに、形態７の出力サービス提供システムは、形態６の出力サービス提供システムにおいて、前記携帯端末との通信サービスを提供する通信サービス提供端末を通信可能に接続し、前記通信サービス提供端末は、前記携帯端末との通信を確立する通信確立手段を構成可能な通信確立手段構成情報を記憶するための構成情報記憶手段を有し、前記仮想オブジェクト管理端末は、前記第１仮想オブジェクトの形状および配置位置により特定される領域と、前記第２仮想オブジェクトの形状および配置位置により特定される領域とが重複していると判定したときは、その第１仮想オブジェクトに対応する出力機器に前記提供要求を送信するようになっており、前記出力機器は、前記提供要求を受信したときは、前記通信確立手段構成情報を前記通信サービス提供端末から取得し、取得した通信確立手段構成情報に基づいて前記通信確立手段を構成し、構成した通信確立手段により前記受信した提供要求に係る携帯端末に前記提供要求を送信するようになっており、前記携帯端末は、前記提供要求を受信したときは、受信した提供要求に係る出力機器に前記出力データ記憶手段の出力データを送信するようになっている。
【手続補正２０】
【補正対象書類名】明細書
【補正対象項目名】００４６
【補正方法】変更
【補正の内容】
【００４６】
携帯端末では、提供要求を受信すると、受信した提供要求に係る出力機器に出力データ記憶手段の出力データが送信される。
ここで、構成情報記憶手段は、通信確立手段構成情報をあらゆる手段でかつあらゆる時期に記憶するものであり、通信確立手段構成情報をあらかじめ記憶してあるものであってもよいし、通信確立手段構成情報をあらかじめ記憶することなく、本システムの動作時に外部からの入力等によって通信確立手段構成情報を記憶するようになっていてもよい。以下、形態９の出力サービス提供システムにおいて同じである。
【手続補正２１】
【補正対象書類名】明細書
【補正対象項目名】００４７
【補正方法】変更
【補正の内容】
【００４７】
また、通信サービス提供端末は、出力機器との通信路の一端に接続する通信機器であって少なくともサーバ機能を有するものであればよく、クライアント機能およびサーバ機能の両方を有するものとして構成することもできる。以下、形態９の出力サービス提供システムにおいて同じである。
〔形態８〕  さらに、形態８の出力サービス提供システムは、仮想オブジェクトを管理する仮想オブジェクト管理端末と、出力機器と、携帯可能な物品である携帯物を管理する携帯物管理端末とを通信可能に接続し、第１仮想オブジェクトを前記出力機器に対応付けかつ第２仮想オブジェクトを前記携帯物に対応付けるとともに、実空間と対応させた仮想空間上に前記第１仮想オブジェクトを配置しかつ前記仮想空間における携帯物の位置またはその付近に前記第２仮想オブジェクトを配置し、前記第１仮想オブジェクトと前記第２仮想オブジェクトとの位置関係に基づいて、前記第１仮想オブジェクトに対応する出力機器の出力に関する出力サービスを提供するシステムであって、前記携帯物の位置を特定するための位置情報を取得する位置情報取得手段を備え、前記仮想オブジェクト管理端末は、前記第１仮想オブジェクトの形状および配置位置に関する第１オブジェクト情報を前記出力機器と対応付けて記憶するための第１記憶手段と、前記第２仮想オブジェクトの形状および配置位置に関する第２オブジェクト情報を前記携帯物と対応付けて記憶するための第２記憶手段とを有し、前記位置情報取得手段で取得した位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する出力機器についてその出力に関する出力サービスを提供すべき提供要求を送信するようになっており、前記携帯物管理端末は、前記出力機器への出力データを前記携帯物と対応付けて記憶するための出力データ記憶手段を有し、前記提供要求を受信したときは、前記出力データ記憶手段の出力データのうち前記受信した提供要求に係る携帯物に対応するものを、前記受信した提供要求に係る出力機器に送信するようになっており、前記出力機器は、前記出力データを受信したときは、受信した出力データに基づいて出力を行うようになっている。
【手続補正２２】
【補正対象書類名】明細書
【補正対象項目名】００５０
【補正方法】変更
【補正の内容】
【００５０】
ここで、提供要求を送信するとは、仮想オブジェクト管理端末が提供要求を直接または間接的に携帯物管理端末に送信することをいい、間接的に送信する場合には、例えば、外部端末と通信可能に接続し、仮想オブジェクト管理端末がその外部端末を介して提供要求を携帯物管理端末に送信することが含まれる。すなわち、提供要求の送信は、仮想オブジェクト管理端末および１または複数の外部端末の協働により行うことも可能である。以下、形態１４の出力サービス提供システムにおいて同じである。
【手続補正２３】
【補正対象書類名】明細書
【補正対象項目名】００５１
【補正方法】変更
【補正の内容】
【００５１】
また、位置情報取得手段は、例えば、携帯物が通信可能に接続する通信端末で携帯物の位置を測定することにより位置情報を取得するようになっていてもよいし、ＧＰＳ等を利用して携帯物でその位置を測定したり、または携帯物からの測定情報に基づいて上記通信端末で算出したりすることにより位置情報を取得するようになっていてもよいし、携帯物が接続する基地局で携帯物の位置を測定したり、または基地局からの測定情報に基づいて上記通信端末で算出したりすることにより、位置情報を取得するようになっていてもよい。また、位置情報取得手段は、仮想オブジェクト管理端末、出力機器、携帯物、携帯物管理端末、その他仮想オブジェクト管理端末と通信可能に接続する外部端末のいずれに設けてもよい。以下、形態１４の出力サービス提供システムにおいて同じである。
【手続補正２４】
【補正対象書類名】明細書
【補正対象項目名】００５２
【補正方法】変更
【補正の内容】
【００５２】
また、携帯物管理端末は、仮想オブジェクト管理端末および出力機器との通信路の一端に接続する通信機器であって少なくともサーバ機能を有するものであればよく、クライアント機能およびサーバ機能の両方を有するものとして構成することもできる。以下、形態１４の出力サービス提供システムにおいて同じである。
【手続補正２５】
【補正対象書類名】明細書
【補正対象項目名】００５３
【補正方法】変更
【補正の内容】
【００５３】
〔形態９〕  さらに、形態９の出力サービス提供システムは、形態８の出力サービス提供システムにおいて、前記携帯物管理端末との通信サービスを提供する通信サービス提供端末を通信可能に接続し、前記通信サービス提供端末は、前記携帯物管理端末との通信を確立する通信確立手段を構成可能な通信確立手段構成情報を記憶するための構成情報記憶手段を有し、前記仮想オブジェクト管理端末は、前記第１仮想オブジェクトの形状および配置位置により特定される領域と、前記第２仮想オブジェクトの形状および配置位置により特定される領域とが重複していると判定したときは、その第１仮想オブジェクトに対応する出力機器に前記提供要求を送信するようになっており、前記出力機器は、前記提供要求を受信したときは、前記通信確立手段構成情報を前記通信サービス提供端末から取得し、取得した通信確立手段構成情報に基づいて前記通信確立手段を構成し、構成した通信確立手段により前記受信した提供要求に係る携帯物管理端末に前記提供要求を送信するようになっており、前記携帯物管理端末は、前記提供要求を受信したときは、前記出力データ記憶手段の出力データのうち前記受信した提供要求に係る携帯物に対応するものを、前記受信した提供要求に係る出力機器に送信するようになっている。
【手続補正２６】
【補正対象書類名】明細書
【補正対象項目名】００５５
【補正方法】変更
【補正の内容】
【００５５】
携帯物管理端末では、提供要求を受信すると、出力データ記憶手段の出力データのうち、受信した提供要求に係る携帯物に対応するものが、受信した提供要求に係る出力機器に送信される。
〔形態１０〕  さらに、形態１０の出力サービス提供システムは、形態２ないし９のいずれかにの出力サービス提供システムにおいて、前記仮想オブジェクト管理端末は、前記第１オブジェクト情報の作成、削除または更新に関する入力を行う入力手段と、前記入力手段の入力内容に基づいて前記第１オブジェクト情報の作成、削除または更新を行うオブジェクト情報処理手段とを有する。
【手続補正２７】
【補正対象書類名】明細書
【補正対象項目名】００５７
【補正方法】変更
【補正の内容】
【００５７】
〔形態１１〕  さらに、形態１１の出力サービス提供システムは、形態１ないし１０のいずれかにの出力サービス提供システムにおいて、前記出力機器は、投影型表示装置である。
このような構成であれば、位置情報取得手段により、位置情報が取得され、取得された位置情報に基づいて第２記憶手段の第２オブジェクト情報が更新される。そして、第１記憶手段の第１オブジェクト情報および第２記憶手段の第２オブジェクト情報に基づいて、第１仮想オブジェクトの形状および配置位置により特定される領域と、第２仮想オブジェクトの形状および配置位置により特定される領域とが重複しているか否かが判定される。その結果、それら領域が重複していると判定されると、その第１仮想オブジェクトに対応する投影型表示装置による表示サービスが提供される。
【手続補正２８】
【補正対象書類名】明細書
【補正対象項目名】００５８
【補正方法】変更
【補正の内容】
【００５８】
〔形態１２〕  さらに、形態１２の出力サービス提供システムは、出力機器に第１仮想オブジェクトを対応付けかつ移動可能な移動体に第２仮想オブジェクトを対応付けるとともに、実空間と対応させた仮想空間上に前記第１仮想オブジェクトを配置しかつ前記仮想空間における移動体の位置またはその付近に前記第２仮想オブジェクトを配置し、前記第１仮想オブジェクトと前記第２仮想オブジェクトとの位置関係に基づいて、前記第１仮想オブジェクトに対応する出力機器の出力に関する出力サービスを提供するシステムであって、前記第１仮想オブジェクトに関する第１オブジェクト情報を前記出力機器と対応付けて記憶するための第１記憶手段と、前記第２仮想オブジェクトに関する第２オブジェクト情報を前記移動体と対応付けて記憶するための第２記憶手段とを備え、前記第１記憶手段の第１オブジェクト情報および前記第２記憶手段の第２オブジェクト情報に基づいて、前記第１仮想オブジェクトと前記第２仮想オブジェクトとの位置関係が所定条件を満たしていると判定したときは、その第１仮想オブジェクトに対応する出力機器の出力に関する出力サービスを提供するようになっており、さらに、前記第１オブジェクト情報の作成、削除または更新に関する入力を行う入力手段と、前記入力手段の入力内容に基づいて前記第１オブジェクト情報の作成、削除または更新を行うオブジェクト情報処理手段とを備える。
【手続補正２９】
【補正対象書類名】明細書
【補正対象項目名】００６０
【補正方法】変更
【補正の内容】
【００６０】
〔形態１３〕  さらに、形態１３の出力サービス提供システムは、仮想オブジェクトを管理する仮想オブジェクト管理端末と、出力機器と、携帯端末とを通信可能に接続し、前記仮想オブジェクトを前記出力機器に対応付けるとともに、実空間と対応させた仮想空間上に前記仮想オブジェクトを配置し、前記携帯端末と前記仮想オブジェクトとの位置関係に基づいて、前記仮想オブジェクトに対応する出力機器の出力に関する出力サービスを提供するシステムであって、前記携帯端末の位置を特定するための位置情報を取得する位置情報取得手段を備え、前記仮想オブジェクト管理端末は、前記仮想オブジェクトの形状および配置位置に関するオブジェクト情報を前記出力機器と対応付けて記憶するためのオブジェクト情報記憶手段を有し、前記位置情報取得手段で取得した位置情報および前記オブジェクト情報記憶手段のオブジェクト情報に基づいて、前記仮想オブジェクトの形状および配置位置により特定される前記仮想オブジェクトの内部領域内に前記携帯端末が属していると判定したときは、その仮想オブジェクトに対応する出力機器についてその出力に関する出力サービスを提供すべき提供要求を送信するようになっており、前記携帯端末は、前記出力機器への出力データを記憶するための出力データ記憶手段を有し、前記提供要求を受信したときは、受信した提供要求に係る出力機器に前記出力データ記憶手段の出力データを送信するようになっており、前記出力機器は、前記出力データを受信したときは、受信した出力データに基づいて出力を行うようになっている。
【手続補正３０】
【補正対象書類名】明細書
【補正対象項目名】００６２
【補正方法】変更
【補正の内容】
【００６２】
携帯端末では、提供要求を受信すると、受信した提供要求に係る出力機器に出力データ記憶手段の出力データが送信される。
出力機器では、出力データを受信すると、受信した出力データに基づいて出力が行われる。
ここで、オブジェクト情報記憶手段は、オブジェクト情報をあらゆる手段でかつあらゆる時期に記憶するものであり、オブジェクト情報をあらかじめ記憶してあるものであってもよいし、オブジェクト情報をあらかじめ記憶することなく、本システムの動作時に外部からの入力等によってオブジェクト情報を記憶するようになっていてもよい。以下、形態１４の出力サービス提供システムにおいて同じである。
【手続補正３１】
【補正対象書類名】明細書
【補正対象項目名】００６３
【補正方法】変更
【補正の内容】
【００６３】
〔形態１４〕  さらに、形態１４の出力サービス提供システムは、仮想オブジェクトを管理する仮想オブジェクト管理端末と、出力機器と、携帯可能な物品である携帯物を管理する携帯物管理端末とを通信可能に接続し、前記仮想オブジェクトを前記出力機器に対応付けるとともに、実空間と対応させた仮想空間上に前記仮想オブジェクトを配置し、前記携帯物と前記仮想オブジェクトとの位置関係に基づいて、前記仮想オブジェクトに対応する出力機器の出力に関する出力サービスを提供するシステムであって、前記携帯物の位置を特定するための位置情報を取得する位置情報取得手段を備え、前記仮想オブジェクト管理端末は、前記仮想オブジェクトの形状および配置位置に関するオブジェクト情報を前記出力機器と対応付けて記憶するためのオブジェクト情報記憶手段を有し、前記位置情報取得手段で取得した位置情報および前記オブジェクト情報記憶手段のオブジェクト情報に基づいて、前記仮想オブジェクトの形状および配置位置により特定される前記仮想オブジェクトの内部領域内に前記携帯物が属していると判定したときは、その仮想オブジェクトに対応する出力機器についてその出力に関する出力サービスを提供すべき提供要求を送信するようになっており、前記携帯物管理端末は、前記出力機器への出力データを前記携帯物と対応付けて記憶するための出力データ記憶手段を有し、前記提供要求を受信したときは、前記出力データ記憶手段の出力データのうち前記受信した提供要求に係る携帯物に対応するものを、前記受信した提供要求に係る出力機器に送信するようになっている。
【手続補正３２】
【補正対象書類名】明細書
【補正対象項目名】００６６
【補正方法】変更
【補正の内容】
【００６６】
〔形態１５〕  一方、上記目的を達成するために、形態１５の仮想オブジェクト管理端末は、形態２の出力サービス提供システムにおける移動体と通信可能に接続する端末であって、前記第１オブジェクト情報を前記出力機器と対応付けて記憶するための第１記憶手段と、前記第２オブジェクト情報を前記移動体と対応付けて記憶するための第２記憶手段とを備え、前記位置情報を受信したときは、受信した位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定するようになっている。
【手続補正３３】
【補正対象書類名】明細書
【補正対象項目名】００６７
【補正方法】変更
【補正の内容】
【００６７】
このような構成であれば、形態２の出力サービス提供システムにおける仮想オブジェクト管理端末と同等の作用が得られる。
〔形態１６〕  一方、上記目的を達成するために、形態１６の移動体は、形態３の出力サービス提供システムにおける仮想オブジェクト管理端末と通信可能に接続する移動体であって、前記第２オブジェクト情報を当該移動体と対応付けて記憶するための第２記憶手段と、当該移動体の位置を特定するための位置情報を取得する位置情報取得手段とを備え、前記位置情報取得手段で取得した位置情報に基づいて前記第２記憶手段の第２オブジェクト情報を更新し、前記第１オブジェクト情報を受信したときは、受信した第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定するようになっている。
【手続補正３４】
【補正対象書類名】明細書
【補正対象項目名】００６８
【補正方法】変更
【補正の内容】
【００６８】
このような構成であれば、形態３の出力サービス提供システムにおける移動体と同等の作用が得られる。
〔形態１７〕  一方、上記目的を達成するために、形態１７の仮想オブジェクト管理端末用プログラムは、コンピュータからなる形態１５の仮想オブジェクト管理端末に実行させるためのプログラムであって、前記位置情報を受信したときは、受信した位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定する処理を実行させるためのプログラムである。
【手続補正３５】
【補正対象書類名】明細書
【補正対象項目名】００６９
【補正方法】変更
【補正の内容】
【００６９】
このような構成であれば、仮想オブジェクト管理端末によってプログラムが読み取られ、読み取られたプログラムに従って仮想オブジェクト管理端末が処理を実行すると、形態１５の仮想オブジェクト管理端末と同等の作用が得られる。
〔形態１８〕  一方、上記目的を達成するために、形態１８の移動体用プログラムは、コンピュータからなる形態１６の移動体に実行させるためのプログラムであって、前記位置情報取得手段で取得した位置情報に基づいて前記第２記憶手段の第２オブジェクト情報を更新し、前記第１オブジェクト情報を受信したときは、受信した第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定する処理を実行させるためのプログラムである。
【手続補正３６】
【補正対象書類名】明細書
【補正対象項目名】００７０
【補正方法】変更
【補正の内容】
【００７０】
このような構成であれば、移動体によってプログラムが読み取られ、読み取られたプログラムに従って移動体が処理を実行すると、形態１６の移動体と同等の作用が得られる。
〔形態１９〕  一方、上記目的を達成するために、形態１９の出力サービス提供方法は、出力機器に第１仮想オブジェクトを対応付けかつ移動可能な移動体に第２仮想オブジェクトを対応付けるとともに、実空間と対応させた仮想空間上に前記第１仮想オブジェクトを配置しかつ前記仮想空間における移動体の位置またはその付近に前記第２仮想オブジェクトを配置し、前記第１仮想オブジェクトと前記第２仮想オブジェクトとの位置関係に基づいて、前記第１仮想オブジェクトに対応する出力機器の出力に関する出力サービスを提供する方法であって、前記第１仮想オブジェクトの形状および配置位置に関する第１オブジェクト情報を前記出力機器と対応付けて第１記憶手段に記憶する第１記憶ステップと、前記第２仮想オブジェクトの形状および配置位置に関する第２オブジェクト情報を前記移動体と対応付けて第２記憶手段に記憶する第２記憶ステップと、前記移動体の位置を特定するための位置情報を取得する位置情報取得ステップと、前記位置情報取得ステップで取得した位置情報に基づいて前記第２記憶手段の第２オブジェクト情報を更新するオブジェクト情報更新ステップと、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複しているか否かを判定する重複判定ステップと、前記重複判定ステップでの判定の結果が重複しているとの判定結果であるときは、その第１仮想オブジェクトに対応する出力機器の出力に関する出力サービスを提供する出力サービス提供ステップとを含む。
【手続補正３７】
【補正対象書類名】明細書
【補正対象項目名】００７１
【補正方法】変更
【補正の内容】
【００７１】
〔形態２０〕  さらに、形態２０の出力サービス提供方法は、出力機器に第１仮想オブジェクトを対応付けかつ移動可能な移動体に第２仮想オブジェクトを対応付けるとともに、実空間と対応させた仮想空間上に前記第１仮想オブジェクトを配置しかつ前記仮想空間における移動体の位置またはその付近に前記第２仮想オブジェクトを配置し、前記第１仮想オブジェクトと前記第２仮想オブジェクトとの位置関係に基づいて、前記第１仮想オブジェクトに対応する出力機器の出力に関する出力サービスを提供する方法であって、前記第１仮想オブジェクトに関する第１オブジェクト情報を前記出力機器と対応付けて第１記憶手段に記憶する第１記憶ステップと、前記第２仮想オブジェクトに関する第２オブジェクト情報を前記移動体と対応付けて第２記憶手段に記憶する第２記憶ステップと、前記第１記憶手段の第１オブジェクト情報および前記第２記憶手段の第２オブジェクト情報に基づいて、前記第１仮想オブジェクトと前記第２仮想オブジェクトとの位置関係が所定条件を満たしているか否かを判定する位置関係判定ステップと、前記位置関係判定ステップでの判定の結果が前記所定条件を満たしているとの判定結果であるときは、その第１仮想オブジェクトに対応する出力機器の出力に関する出力サービスを提供する出力サービス提供ステップと、前記第１オブジェクト情報の作成、削除または更新に関する入力を行う入力ステップと、前記入力ステップの入力内容に基づいて前記第１オブジェクト情報の作成、削除または更新を行うオブジェクト情報処理ステップとを含む。
【手続補正３８】
【補正対象書類名】明細書
【補正対象項目名】０１８９
【補正方法】変更
【補正の内容】
【０１８９】
上記第１の実施の形態において、プロジェクタ表示データは、形態５ないし７または１３の出力データに対応し、通信用オブジェクトデータは、形態７の通信確立手段構成情報に対応し、仮想オブジェクト管理装置１００は、形態２、６、７、１０、１３、１５ないし１７の仮想オブジェクト管理端末に対応している。また、携帯端末１４０は、形態１、２、５、１２、１５、１６、１８ないし２０の移動体に対応し、プロジェクタ２００およびプリンタ２２０は、形態１、５ないし７、１１ないし１３、１５、１９または２０の出力機器に対応し、プロジェクタ２００は、形態１１の投影型表示装置に対応している。
【手続補正３９】
【補正対象書類名】明細書
【補正対象項目名】０１９０
【補正方法】変更
【補正の内容】
【０１９０】
また、上記第１の実施の形態において、サービス連携管理装置２４０は、形態７の通信サービス提供端末に対応し、仮想オブジェクト管理ＤＢ４２は、形態１、２、６、１２、１５、１７、１９若しくは２０の第１記憶手段、形態１、２、６、１２、１５ないし２０の第２記憶手段、または形態１３のオブジェクト情報記憶手段に対応している。また、位置情報取得装置８６は、形態１、２、６、１３、１６または１８の位置情報取得手段に対応し、携帯端末１４０のＲＡＭは、形態５ないし７または１３の出力データ記憶手段に対応し、サービス連携管理装置２４０の記憶装置は、形態７の構成情報記憶手段に対応している。
【手続補正４０】
【補正対象書類名】明細書
【補正対象項目名】０１９１
【補正方法】変更
【補正の内容】
【０１９１】
また、上記第１の実施の形態において、ステップＳ１１６は、形態１９若しくは２０の第１記憶ステップ、または形態１９若しくは２０の第２記憶ステップに対応し、ステップＳ４００は、形態１９の位置情報取得ステップに対応し、ステップＳ４０６は、形態１９のオブジェクト情報更新ステップに対応している。また、ステップＳ５０４は、形態１９の重複判定ステップ、または形態２０の位置関係判定ステップに対応し、ステップＳ５０８，Ｓ５１６，Ｓ５２４，Ｓ５３０，Ｓ５３２，Ｓ５３４，Ｓ５３６は、形態１９または２０の出力サービス提供ステップに対応している。
【手続補正４１】
【補正対象書類名】明細書
【補正対象項目名】０１９２
【補正方法】変更
【補正の内容】
【０１９２】
また、上記第１の実施の形態において、ステップＳ１１２，Ｓ１１４，Ｓ２０６，Ｓ２２２，Ｓ３０６，Ｓ３２８，Ｓ３３０は、形態１０若しくは１２の入力手段、または形態２０の入力ステップに対応し、ステップＳ１１６，Ｓ２２４，Ｓ３３２は、形態１０若しくは１２のオブジェクト情報処理手段、または形態２０のオブジェクト情報処理ステップに対応している。
【手続補正４２】
【補正対象書類名】明細書
【補正対象項目名】０２２４
【補正方法】変更
【補正の内容】
【０２２４】
上記第２の実施の形態において、プロジェクタ表示データは、形態５、８、９または１４の出力データに対応し、通信用オブジェクトデータは、形態９の通信確立手段構成情報に対応し、仮想オブジェクト管理装置１００は、形態２、８ないし１０、１４ないし１７の仮想オブジェクト管理端末に対応している。また、カード１６０は、形態１、２、５、１２、１５、１６、１８ないし２０の移動体、または形態８、９若しくは１４の携帯物に対応し、カード管理装置１８０は、形態８、９または１４の携帯物管理端末に対応し、プロジェクタ２００およびプリンタ２２０は、形態１、５、８、９、１１、１２、１４、１５、１９または２０の出力機器に対応している。
【手続補正４３】
【補正対象書類名】明細書
【補正対象項目名】０２２５
【補正方法】変更
【補正の内容】
【０２２５】
また、上記第２の実施の形態において、プロジェクタ２００は、形態１１の投影型表示装置に対応し、サービス連携管理装置２４０は、形態９の通信サービス提供端末に対応し、仮想オブジェクト管理ＤＢ４２は、形態１、２、８、１２、１５、１７、１９若しくは２０の第１記憶手段、形態１、２、８、１２、１５ないし２０の第２記憶手段、または形態１４のオブジェクト情報記憶手段に対応している。また、カード１６０の位置情報取得装置は、形態１、２、８、１４、１６または１８の位置情報取得手段に対応し、カード管理装置１８０の記憶装置は、形態５、８、９または１４の出力データ記憶手段に対応し、サービス連携管理装置２４０の記憶装置は、形態９の構成情報記憶手段に対応している。
【手続補正４４】
【補正対象書類名】明細書
【補正対象項目名】０２２６
【補正方法】変更
【補正の内容】
【０２２６】
また、上記第２の実施の形態において、ステップＳ１１６は、形態１９若しくは２０の第１記憶ステップ、または形態１９若しくは２０の第２記憶ステップに対応し、ステップＳ４００は、形態１９の位置情報取得ステップに対応し、ステップＳ４０６は、形態１９のオブジェクト情報更新ステップに対応している。また、ステップＳ５０４は、形態１９の重複判定ステップ、または形態２０の位置関係判定ステップに対応し、ステップＳ５０８，Ｓ５１６，Ｓ５２４，Ｓ５３０，Ｓ５３２，Ｓ５３４，Ｓ５３６は、形態１９または２０の出力サービス提供ステップに対応している。
【手続補正４５】
【補正対象書類名】明細書
【補正対象項目名】０２２７
【補正方法】変更
【補正の内容】
【０２２７】
また、上記第２の実施の形態において、ステップＳ１１２，Ｓ１１４，Ｓ２０６，Ｓ２２２，Ｓ３０６，Ｓ３２８，Ｓ３３０は、形態１０若しくは１２の入力手段、または形態２０の入力ステップに対応し、ステップＳ１１６，Ｓ２２４，Ｓ３３２は、形態１０若しくは１２のオブジェクト情報処理手段、または形態２０のオブジェクト情報処理ステップに対応している。
【手続補正４６】
【補正対象書類名】明細書
【補正対象項目名】０２２９
【補正方法】変更
【補正の内容】
【０２２９】
これにより、携帯端末１４０でエリアインの判定が行われることから、仮想オブジェクト管理装置１００で行う場合に比して、仮想オブジェクト管理装置１００の処理負荷を低減することができる。なお、エリアアウトしているか否かの判定についても同じである。
この場合において、仮想オブジェクト管理装置１００は、形態３の仮想オブジェクト管理端末に対応し、携帯端末１４０は、形態３の移動体に対応し、仮想オブジェクト管理ＤＢ４２は、形態３の第１記憶手段、または形態３の第２記憶手段に対応している。また、位置情報取得装置８６は、形態３の位置情報取得手段に対応している。
【手続補正４７】
【補正対象書類名】明細書
【補正対象項目名】０２３１
【補正方法】変更
【補正の内容】
【０２３１】
これにより、プロジェクタ表示データの送信が仮想オブジェクト管理装置１００で行われることから、携帯端末１４０の処理負荷を低減することができる。
この場合において、プロジェクタ表示データは、形態４の出力データに対応し、仮想オブジェクト管理装置１００は、形態４の仮想オブジェクト管理端末に対応し、プロジェクタ２００およびプリンタ２２０は、形態４の出力機器に対応し、携帯端末１４０は、形態４の移動体に対応している。また、携帯端末１４０のＲＡＭは、形態４の出力データ記憶手段に対応している。
【手続補正４８】
【補正対象書類名】明細書
【補正対象項目名】０２３３
【補正方法】変更
【補正の内容】
【０２３３】
これにより、カード管理装置１８０でエリアインの判定が行われることから、仮想オブジェクト管理装置１００で行う場合に比して、仮想オブジェクト管理装置１００の処理負荷を低減することができる。なお、エリアアウトしているか否かの判定についても同じである。
この場合において、仮想オブジェクト管理装置１００は、形態３の仮想オブジェクト管理端末に対応し、カード１６０は、形態３の移動体に対応し、仮想オブジェクト管理ＤＢ４２は、形態３の第１記憶手段、または形態３の第２記憶手段に対応している。また、カード１６０の位置情報取得装置は、形態３の位置情報取得手段に対応している。
【手続補正４９】
【補正対象書類名】明細書
【補正対象項目名】０２３５
【補正方法】変更
【補正の内容】
【０２３５】
これにより、プロジェクタ表示データの送信が仮想オブジェクト管理装置１００で行われることから、カード管理装置１８０の処理負荷を低減することができる。
この場合において、プロジェクタ表示データは、形態４の出力データに対応し、仮想オブジェクト管理装置１００は、形態４の仮想オブジェクト管理端末に対応し、プロジェクタ２００およびプリンタ２２０は、形態４の出力機器に対応し、カード１６０は、形態４の移動体に対応している。また、カード管理装置１８０のＲＡＭは、形態４の出力データ記憶手段に対応している。
【手続補正５０】
【補正対象書類名】明細書
【補正対象項目名】０２５０
【補正方法】変更
【補正の内容】
【０２５０】
【発明の効果】
以上説明したように、形態１ないし５の出力サービス提供システムによれば、仮想オブジェクトが形状および配置位置を有し、第１仮想オブジェクトの領域と第２仮想オブジェクトの領域とが重複しているか否かを判定する構成により、従来に比して、出力サービスが提供される領域が比較的明確化されることから、例えば数ｍ単位といった細かな単位で異なる出力サービスを提供することが可能となり、また、出力サービスが提供される領域および移動体に対応付けられた領域が点ではなく所定の範囲をもっていることから、ユーザが出力サービスを受けやすくなるという効果が得られる。また、ユーザは、第１仮想オブジェクトの領域またはその付近に移動体を持って行くだけで出力サービスの提供を受けることができるので、比較的容易に出力サービスの提供を受けることができるほか、ユーザをある程度特定することが可能となり、ユーザに応じた出力サービスを提供することができるという効果も得られる。
【手続補正５１】
【補正対象書類名】明細書
【補正対象項目名】０２５１
【補正方法】変更
【補正の内容】
【０２５１】
さらに、形態２の出力サービス提供システムによれば、仮想オブジェクト管理端末で判定が行われることから、移動体の処理負荷を低減することができるという効果も得られる。
さらに、形態３の出力サービス提供システムによれば、移動体で判定が行われることから、仮想オブジェクト管理端末の処理負荷を低減することができるという効果も得られる。
【手続補正５２】
【補正対象書類名】明細書
【補正対象項目名】０２５２
【補正方法】変更
【補正の内容】
【０２５２】
さらに、形態４の出力サービス提供システムによれば、仮想オブジェクト管理端末で出力データの送信が行われることから、移動体の処理負荷を低減することができるという効果も得られる。また、ユーザに応じた出力データを利用する出力サービスを提供することができるという効果も得られる。
さらに、形態５の出力サービス提供システムによれば、移動体で出力データの送信が行われることから、仮想オブジェクト管理端末の処理負荷を低減することができるという効果も得られる。また、ユーザに応じた出力データを利用する出力サービスを提供することができるという効果も得られる。
【手続補正５３】
【補正対象書類名】明細書
【補正対象項目名】０２５３
【補正方法】変更
【補正の内容】
【０２５３】
さらに、形態６または７の出力サービス提供システムによれば、仮想オブジェクトが形状および配置位置を有し、第１仮想オブジェクトの領域と第２仮想オブジェクトの領域とが重複しているか否かを判定する構成により、従来に比して、出力サービスが提供される領域が比較的明確化されることから、例えば数ｍ単位といった細かな単位で異なる出力サービスを提供することが可能となり、また、出力サービスが提供される領域および携帯端末に対応付けられた領域が点ではなく所定の範囲をもっていることから、ユーザが出力サービスを受けやすくなるという効果が得られる。また、ユーザは、第１仮想オブジェクトの領域またはその付近に携帯端末を持って行くだけで出力サービスの提供を受けることができるので、比較的容易に出力サービスの提供を受けることができるほか、ユーザをある程度特定することが可能となり、ユーザに応じた出力データを利用する出力サービスを提供することができるという効果も得られる。
【手続補正５４】
【補正対象書類名】明細書
【補正対象項目名】０２５４
【補正方法】変更
【補正の内容】
【０２５４】
さらに、形態７の出力サービス提供システムによれば、出力機器は、通信サービス提供端末にアクセス可能となっていれば、携帯端末との通信確立手段を有していなくても出力サービスの提供を行うことができるので、携帯端末の機種、台数その他の如何にかかわらず追加することができ、出力機器の追加が比較的容易となるという効果も得られる。また、携帯端末が複数存在する場合には、携帯端末との通信確立手段を通信サービス提供端末で一元管理することが可能となるという効果も得られる。
【手続補正５５】
【補正対象書類名】明細書
【補正対象項目名】０２５５
【補正方法】変更
【補正の内容】
【０２５５】
さらに、形態８または９の出力サービス提供システムによれば、仮想オブジェクトが形状および配置位置を有し、第１仮想オブジェクトの領域と第２仮想オブジェクトの領域とが重複しているか否かを判定する構成により、従来に比して、出力サービスが提供される領域が比較的明確化されることから、例えば数ｍ単位といった細かな単位で異なる出力サービスを提供することが可能となり、また、出力サービスが提供される領域および携帯物に対応付けられた領域が点ではなく所定の範囲をもっていることから、ユーザが出力サービスを受けやすくなるという効果が得られる。また、ユーザは、第１仮想オブジェクトの領域またはその付近に携帯物を持って行くだけで出力サービスの提供を受けることができるので、比較的容易に出力サービスの提供を受けることができるほか、ユーザをある程度特定することが可能となり、ユーザに応じた出力データを利用する出力サービスを提供することができるという効果も得られる。
【手続補正５６】
【補正対象書類名】明細書
【補正対象項目名】０２５６
【補正方法】変更
【補正の内容】
【０２５６】
さらに、形態９の出力サービス提供システムによれば、出力機器は、通信サービス提供端末にアクセス可能となっていれば、携帯物管理端末との通信確立手段を有していなくても出力サービスの提供を行うことができるので、携帯物管理端末の機種、台数その他の如何にかかわらず追加することができ、出力機器の追加が比較的容易となるという効果も得られる。また、携帯物管理端末が複数存在する場合には、携帯物管理端末との通信確立手段を通信サービス提供端末で一元管理することが可能となるという効果も得られる。
【手続補正５７】
【補正対象書類名】明細書
【補正対象項目名】０２５７
【補正方法】変更
【補正の内容】
【０２５７】
さらに、形態１０の出力サービス提供システムによれば、第１仮想オブジェクトの作成、削除または更新が容易となることから、建物等の新しい物体ができたり、または展示物等の一時的にしか所在地を有しない物体に対して適用したりするなど、状況変化に比較的柔軟に対応することができるという効果も得られる。
【手続補正５８】
【補正対象書類名】明細書
【補正対象項目名】０２５８
【補正方法】変更
【補正の内容】
【０２５８】
さらに、形態１１の出力サービス提供システムによれば、投影型表示装置による表示サービスの提供を比較的容易に受けることができるほか、ユーザに応じた表示サービスを提供することができるという効果も得られる。
さらに、形態１２の出力サービス提供システムによれば、ユーザは、第１仮想オブジェクトの領域またはその付近に移動体を持って行くだけで出力サービスの提供を受けることができるので、比較的容易に出力サービスの提供を受けることができるほか、ユーザをある程度特定することが可能となり、ユーザに応じた出力サービスを提供することができるという効果が得られる。また、第１仮想オブジェクトの作成、削除または更新が容易となることから、建物等の新しい物体ができたり、または展示物等の一時的にしか所在地を有しない物体に対して適用したりするなど、状況変化に比較的柔軟に対応することができるという効果も得られる。
【手続補正５９】
【補正対象書類名】明細書
【補正対象項目名】０２５９
【補正方法】変更
【補正の内容】
【０２５９】
さらに、形態１３の出力サービス提供システムによれば、仮想オブジェクトが形状および配置位置を有し、携帯端末がその内部領域内に属しているか否かを判定する構成により、従来に比して、出力サービスが提供される領域が比較的明確化されることから、例えば数ｍ単位といった細かな単位で異なる出力サービスを提供することが可能となり、また、出力サービスが提供される領域が点ではなく所定の範囲をもっていることから、ユーザが出力サービスを受けやすくなるという効果が得られる。また、ユーザは、仮想オブジェクトの領域に携帯端末を持って行くだけで出力サービスの提供を受けることができるので、比較的容易に出力サービスの提供を受けることができるほか、ユーザをある程度特定することが可能となり、ユーザに応じた出力データを利用する出力サービスを提供することができるという効果も得られる。
【手続補正６０】
【補正対象書類名】明細書
【補正対象項目名】０２６０
【補正方法】変更
【補正の内容】
【０２６０】
さらに、形態１４の出力サービス提供システムによれば、仮想オブジェクトが形状および配置位置を有し、携帯物がその内部領域内に属しているか否かを判定する構成により、従来に比して、出力サービスが提供される領域が比較的明確化されることから、例えば数ｍ単位といった細かな単位で異なる出力サービスを提供することが可能となり、また、出力サービスが提供される領域が点ではなく所定の範囲をもっていることから、ユーザが出力サービスを受けやすくなるという効果が得られる。また、ユーザは、仮想オブジェクトの領域に携帯物を持って行くだけで出力サービスの提供を受けることができるので、比較的容易に出力サービスの提供を受けることができるほか、ユーザをある程度特定することが可能となり、ユーザに応じた出力データを利用する出力サービスを提供することができるという効果も得られる。
【手続補正６１】
【補正対象書類名】明細書
【補正対象項目名】０２６１
【補正方法】変更
【補正の内容】
【０２６１】
一方、形態１５の仮想オブジェクト管理端末によれば、形態２の出力サービス提供システムと同等の効果が得られる。
一方、形態１６の移動体によれば、形態３の出力サービス提供システムと同等の効果が得られる。
一方、形態１７の仮想オブジェクト管理端末用プログラムによれば、形態１５の仮想オブジェクト管理端末と同等の効果が得られる。
【手続補正６２】
【補正対象書類名】明細書
【補正対象項目名】０２６２
【補正方法】変更
【補正の内容】
【０２６２】
一方、形態１８の移動体用プログラムによれば、形態１６の移動体と同等の効果が得られる。
一方、形態１９の出力サービス提供方法によれば、形態１の出力サービス提供システムと同等の効果が得られる。
さらに、形態２０の出力サービス提供方法によれば、形態１２の出力サービス提供システムと同等の効果が得られる。